(57)【要約】      （修正有）【課題】プッシャーが曲がってしまうリスクを低減又はなくして、信頼性やシール性を向上させる押しボタンシステム。【解決手段】ボタン頭部２と、ボタン頭部と一体化されているプッシャーアクチュエーター４と、ボタン頭部とプッシャーアクチュエーターに対して固定される固定要素に固定されるように意図されている第１の中空ガイドメンバー６と、ボタン頭部内に配置される第２の中空ガイドメンバー８と、及び第２の中空ガイドメンバー内に摺動して入るように取り付けられ固定要素に固定されるように意図されているピン１０とを備え、プッシャーアクチュエーターは、第１の中空ガイドメンバー内にて摺動して取り付けられる。プッシャーアクチュエーターには上部２０があり、この上部の周部には、第１の中空ガイドメンバーの内面２４と連係してプッシャーをメンバー内にてガイドするように意図されたカラー２２が設けられている。【選択図】図３
2020190546.tif 000002
【特許請求の範囲】
【請求項１】
アクチュエートメンバーを活性化するように意図された押しボタンシステム（１）であって、
ボタン頭部（２）と、
前記ボタン頭部（２）と一体化されておりアクチュエートメンバーと連係するように意図された下端（１８ａ）を有するプッシャーアクチュエーター（４）と、
前記ボタン頭部（２）と前記プッシャーアクチュエーター（４）に対して固定される固定要素に固定されるように意図されている第１の中空ガイドメンバー（６）と、
前記ボタン頭部（２）内に配置される第２の中空ガイドメンバー（８）と、
前記第２の中空ガイドメンバー（８）内に摺動して入るように取り付けられ前記固定要素に固定されるように意図されているピン（１０）と
を備え、
前記プッシャーアクチュエーター（４）は、前記第１の中空ガイドメンバー（６）内にて摺動して取り付けられ、
前記プッシャーアクチュエーター（４）には上部（２０）があり、この上部（２０）の周部には、前記第１の中空ガイドメンバー（６）の内面（２４）と連係して前記プッシャーアクチュエーター（４）を前記第１の中空ガイドメンバー（６）内にてガイドするように意図されたカラー（２２）が設けられている
ことを特徴とする押しボタンシステム。
【請求項２】
前記カラー（２２）は、前記プッシャーアクチュエーター（４）の高さ全体の少なくとも１／２５に対応する高さを有し、この高さは、前記プッシャーアクチュエーター（４）の主な延在方向にて測定される
ことを特徴とする請求項１に記載の押しボタンシステム。
【請求項３】
前記カラー（２２）は、前記プッシャーアクチュエーター（４）の高さ全体の少なくとも１／１０に対応する高さを有し、この高さは、前記プッシャーアクチュエーター（４）の主な延在方向にて測定される
ことを特徴とする請求項１又は２に記載の押しボタンシステム。
【請求項４】
前記プッシャーアクチュエーター（４）と前記カラー（２２）は、単一の材料片を形成する
ことを特徴とする請求項１〜３のいずれか一項に記載の押しボタンシステム（１）。
【請求項５】
前記ピン（１０）は、前記第２の中空ガイドメンバー（８）内に押し込まれる
ことを特徴とする請求項１〜４のいずれか一項に記載の押しボタンシステム（１）。
【請求項６】
前記第２の中空ガイドメンバー（８）には、非貫通穴が形成されている
ことを特徴とする請求項１〜３のいずれか一項に記載の押しボタンシステム。
【請求項７】
前記第１の中空ガイドメンバー（６）には、前記ボタン頭部（２）に形成された頭部ハウジング（１５）内を摺動するように調整される上部（２６ｂ）がある
ことを特徴とする請求項１〜６のいずれか一項に記載の押しボタンシステム（１）。
【請求項８】
前記プッシャーアクチュエーター（４）は、前記第１の中空ガイドメンバー（６）を通り抜けるように摺動して取り付けられたアーバー又はねじであり、
前記プッシャーアクチュエーター（４）の第１の端部（１８ｂ）は、前記頭部ハウジング（１５）の天井部にて固定され、
前記プッシャーアクチュエーター（４）の他方の端部（１８ａ）は、前記アクチュエートメンバーと連係するように構成している
ことを特徴とする請求項７に記載の押しボタンシステム（１）。
【請求項９】
前記プッシャーアクチュエーター（４）は、圧縮ばね（１２）の戻り力に対抗するように動くように取り付けられており、
前記圧縮ばね（１２）は、前記カラー（２２）の底部及び前記第１の中空ガイドメンバー（６）上に載置されている
ことを特徴とする請求項８に記載の押しボタンシステム（１）。
【請求項１０】
前記圧縮ばね（１２）は、前記プッシャーアクチュエーター（４）の周部に延在している渦巻きばねである
ことを特徴とする請求項９に記載の押しボタンシステム（１）。
【請求項１１】
さらに、前記プッシャーアクチュエーター（４）と前記第１の中空ガイドメンバー（６）の間に配置される少なくとも１つのシール手段（１４、１４ａ、１４ｂ）を備える
ことを特徴とする請求項１〜１０のいずれか一項に記載の押しボタンシステム（１）。
【請求項１２】
前記カラー（２２）は、前記プッシャーアクチュエーター（４）の残りの部分の直径よりも大きい直径を有する
ことを特徴とする請求項１〜１１のいずれか一項に記載の押しボタンシステム（１）。
【請求項１３】
計時器用ムーブメントを内部に収容するケースを備える計時器であって、
当該計時器は、さらに、前記ケース内に配置される少なくとも１つのアクチュエートメンバーと、及び前記アクチュエートメンバーに作用する少なくとも１つの押しボタンシステム（１）とを備え、
前記押しボタンシステム（１）は、請求項１〜１２のいずれか一項に記載の押しボタンシステムであり、
前記ボタン頭部（２）は、前記ケースの外側からアクセス可能であり前記ケースに対して並進運動可能であり、
前記プッシャーアクチュエーター（４）は、前記ケースに形成された開口内を通り抜けるように摺動して取り付けられ、
前記第１の中空ガイドメンバー（６）と前記ピン（１０）は、前記ケースと一体化されているように取り付けられ、
前記第１の中空ガイドメンバー（６）は、前記ケースに形成された前記開口内に少なくとも部分的に挿入される
ことを特徴とする計時器。
【請求項１４】
携行型時計、特に、クロノグラフ、である
ことを特徴とする請求項１３に記載の計時器。
【発明の詳細な説明】
【技術分野】
【０００１】
本発明は、アクチュエートメンバーを活性化するための押しボタンシステムに関する。
【０００２】
本発明は、さらに、押しボタンシステムを備える計時器、特に、携行型時計（例、腕時計、懐中時計）、に関する。この種の押しボタンシステムは、一般的には、携行型時計の一又は複数の機能を活性化及び／又は不活性化するために用いられる。
【背景技術】
【０００３】
計時器の分野では、ケース、典型的には、携行型時計のケース、の内側に配置されるアクチュエートメンバーを活性化するように意図された押しボタンシステムが知られている。このようなシステムは、ケースの外側からアクセス可能でありケースに対して並進運動可能なボタン頭部と、このボタン頭部と一体化されておりケースに形成された開口内を通り抜けるように摺動して取り付けられたプッシャーアクチュエーターと、及びケースと一体化されるように取り付けられておりケースに形成された前記開口内に少なくとも部分的に挿入される中空ガイドメンバーとを備え、この開口内を前記プッシャーアクチュエーターが摺動する。しかし、このような押しボタンシステムに対して、軸方向ではない方向のアクチュエート力が与えられることが多く、このことによって、プッシャーの動きを妨げてしまうリスクが発生する。このようにして、この種の押しボタンに対して、プッシャーの摺動軸から外れた方向の曲げ力又は傾斜力が与えられてアクチュエート軸が動いて中心からずれてしまい、これによって、プッシャーの動きを妨げてしまうリスクを増大させてしまう。
【０００４】
この課題を解決するために、プッシャーがアクチュエートしているときに動作応力の少なくとも一部を取り込む第２の中空ガイドメンバーを第１の中空ガイドメンバーに加えて備える押しボタンシステムも知られている。このような押しボタンシステムは、例えば、スイス特許ＣＨ７０４６９１Ｂ１に開示されている。第２の中空ガイドメンバーは、ボタン頭部の内側に配置され、このシステムは、さらに、スリーブを介して第２の中空ガイドメンバーの内側を摺動して取り付けられているピンを備え、このピンは、その一端を介してケースに固定される。したがって、この第２の中空ガイドメンバー／ピンのアセンブリーによって、ケースをボタン頭部に機械的に接続して、ボタン頭部がアクチュエートしているときに動作応力の一部を取り込み、ボタン頭部が第１の中空ガイドメンバーとピンの両方の上を摺動することが可能になる。したがって、このような構成によって、プッシャーのジャミングのリスクを低減させ、その結果、システムの機械的信頼性が向上する。
【０００５】
前記のスイス特許ＣＨ７０４６９１Ｂ１で提案されている押しボタンシステムは、プッシャーのジャミングの問題を解決するが、さらなる課題もある。実際に、軸方向ではない方向のアクチュエート力、典型的には、半径方向の力、を受けたときに、このようなシステムのプッシャーアクチュエーターが曲がってしまうことがある。このことは、システムの信頼性と全体的な耐水性にとって有害であり、この耐水性の課題は、クロノグラフ腕時計において特に重要である。
【発明の概要】
【発明が解決しようとする課題】
【０００６】
したがって、本発明の目的は、プッシャーが曲がってしまうリスクを低減又はなくして、システムの信頼性やシール性を向上させることを可能にするような押しボタンシステムを提供することである。
【課題を解決するための手段】
【０００７】
このために、本発明は、独立請求項１に記載される特徴を有する押しボタンシステムに関する。
【０００８】
従属請求項２〜１２に、本押しボタンシステムの特定の実施形態が定められている。
【０００９】
プッシャーアクチュエーターの上部の周部に、第１の中空ガイドメンバーの内面と連係するように意図されたカラーを備えることによって、第１の中空ガイドメンバー内におけるプッシャーのガイド長を大幅に大きくする。すなわち、プッシャーをハイパースタティックにせずに、プッシャーと第１の中空ガイドメンバーの間の遊びを小さくすることができる。このことによって、好ましいことに、押しボタンシステムの強度を強くして、これによって、特に、プッシャーが半径方向の力を受けたときに、プッシャーが曲がってしまうリスクを低減させることができる。具体的には、新しい耐水試験基準による５Ｎの半径方向の力が与えられるようにしてプッシャーをアクチュエートしても、プッシャーは曲げられない。このようにして、本システムの信頼性と全体的な耐水性が向上する。
【００１０】
本発明の第１の実施形態において、前記カラーは、前記プッシャーアクチュエーターの高さ全体の少なくとも１／２５に対応する高さを有し、この高さは、前記プッシャーアクチュエーターの主な延在方向にて測定される。
【００１１】
本発明の第２の実施形態において、前記カラーは、前記プッシャーアクチュエーターの高さ全体の少なくとも１／１０に対応する高さを有し、この高さは、前記プッシャーアクチュエーターの主な延在方向にて測定される。この第２の実施形態には、特に、プッシャーが半径方向の力を受けるときに、プッシャーが曲がってしまうリスクをさらに低減又はなくすことができるという利点がある。
【００１２】
本発明の特定の技術的特徴によれば、前記第１の中空ガイドメンバーには、前記ボタン頭部に形成された頭部ハウジング内を摺動するように調整される上部がある。
【００１３】
本発明の別の特定の技術的特徴によれば、前記プッシャーアクチュエーターは、前記第１の中空ガイドメンバーを通り抜けるように摺動して取り付けられたアーバー又はねじであり、前記プッシャーアクチュエーターの第１の端部は、前記頭部ハウジングの天井部にて固定され、前記プッシャーアクチュエーターの他方の端部は、前記アクチュエートメンバーと連係するように構成している。
【００１４】
好ましいことに、当該押しボタンシステムは、さらに、前記プッシャーアクチュエーターと前記第１の中空ガイドメンバーの間に配置される少なくとも１つのシール手段を備える。これによって、システムの耐水性が向上する。
【００１５】
上記のために、本発明は、さらに、ケース内に配置される少なくとも１つのアクチュエートメンバーと、及び前記アクチュエートメンバーに作用する少なくとも１つの押しボタンシステムとを備え、この押しボタンシステムは、独立請求項１３に記載の特徴を有する。
【００１６】
従属請求項１４に、本計時器の特定の実施形態が定められている。
【００１７】
図面に示している少なくとも１つの実施形態（これに限定されない）に基づいて以下の説明を読むことによって、本押しボタンシステム及びこれを備える計時器の目的、利点及び特徴を明確に理解することができる。
【図面の簡単な説明】
【００１８】
【図１】本発明に係る押しボタンシステムの斜視図である。
【図２】図１の押しボタンシステムを上から見た図である。
【図３】本発明の第２の実施形態に係る図２の押しボタンシステムの断面III〜IIIの断面図である。
【図４】本発明の第２の実施形態に係る図２の押しボタンシステムの断面を示している図３と同様の形態の図である。
【発明を実施するための形態】
【００１９】
図１及び２は、アクチュエートメンバーを活性化するように意図された押しボタンシステム１を示している。押しボタンシステム１は、例えば、携行型時計、特に、クロノグラフ携行型時計、に取り付けられる。しかし、本発明に関連してこのことに限定されるものではない。実施形態の１つでは、押しボタンシステム１は、アクチュエートされるメンバーを備えた任意のタイプの計時器又は任意のデバイスに取り付けることができる。このような計時器又はデバイスは、簡明性のために図には示していない。押しボタンシステム１が計時器に取り付けられる場合には、計時器は、ケースを備え、このケース内に、計時器用ムーブメントと、押しボタンシステム１が作用するアクチュエートメンバーとが配置される。アクチュエートメンバーは、典型的には、例えば、クロノグラフ制御レバー、電子式携行型時計で用いる場合のスイッチのような機能メンバーである。
【００２０】
押しボタンシステム１は、ボタン頭部２と、ボタン頭部２と一体化されたプッシャーアクチュエーター４と、第１の中空ガイドメンバー６と、第２の中空ガイドメンバー８と、ピン１０とを備える。好ましくは、図３及び４に示しているように、押しボタンシステム１は、さらに、圧縮ばね１２及び少なくとも１つのシール手段１４を備える。図３及び４に示している特定の実施形態において、押しボタンシステム１は、２つのシール手段１４ａ、１４ｂを備える。
【００２１】
好ましくは、図３及び４に示しているように、ボタン頭部２内に頭部ハウジング１５が形成される。押しボタンシステム１が計時器に取り付けられる場合、ボタン頭部２は、計時器用ムーブメントを収容するケースの外側からアクセス可能であり、ケースに対して並進運動可能である。この場合、プッシャーアクチュエーター４は、ケース内部に形成された開口を通して摺動して取り付けられ、第１の中空ガイドメンバー６とピン１０は、ケースと一体化されるように取り付けられる。第１の中空ガイドメンバー６は、例えば、ケース内に形成された開口内に少なくとも部分的に挿入される。ピン１０は、例えば、その一方の端部１６ａを介してケースに固定される。端部１６ａは、典型的には、ピン１０の下端である。
【００２２】
プッシャーアクチュエーター４には、アクチュエートメンバーと連係するように意図された下端１８ａがある。具体的には、プッシャーアクチュエーター４の下端１８ａは、アクチュエートメンバーと接触してアクチュエートメンバーをアクチュエートするように構成している。図３及び４に示しているように、プッシャーアクチュエーター４は、第１の中空ガイドメンバー６内を摺動して取り付けられ、その周部にはカラー２２を備えた上部２０がある。好ましくは、図３及び４に示しているように、プッシャーアクチュエーター４とカラー２２は、単一の材料片によって形成される。プッシャーアクチュエーター４の下端１８ａは、好ましいことに、アクチュエートメンバーと相互作用するように、また、圧縮ばね１２の影響の下で、ボタン頭部２がその安定なトラベル端の位置に戻るときに、第１の中空ガイドメンバー６の一端に当接するように、構成している形状を有する。
【００２３】
プッシャーアクチュエーター４は、第１の中空ガイドメンバー６内のプッシャー４の摺動方向に対応する主な延在方向Ａ−Ａ’に延在している。この方向Ａ−Ａ’は、ボタン頭部２の並進運動の方向にも一致している。以下の説明では、プッシャー４の主な延在方向Ａ−Ａ’に沿って測定される寸法を「高さ」と呼ぶ。本発明の１つの例示的な実施形態（これに限定されない）において、プッシャーアクチュエーター４は、第１の中空ガイドメンバー６を通り抜けて摺動して取り付けられたアーバー又はねじであり、プッシャーアクチュエーター４の上端１８ｂは頭部ハウジング１５の天井部に固定される。プッシャーアクチュエーター４の上端１８ｂは、例えば、頭部ハウジング１５の天井部を形成する中空スリーブ２３内に押し込まれる。図３及び４に示している特定の例示的な実施形態において、プッシャーアクチュエーター４は、アーバーである。
【００２４】
カラー２２は、第１の中空ガイドメンバー６の内面２４と連係して、第１の中空ガイドメンバー６内でプッシャー４をガイドすることができる。カラー２２は、プッシャーアクチュエーター４の上部２０の周部にわたって放射状に延在している。図３及び４の特定の例示的実施形態において、カラー２２の直径は、プッシャーアクチュエーター４の残りの部分の直径よりも大きい。
【００２５】
本発明の第１の実施形態において、カラー２２は、プッシャーアクチュエーターの高さ全体の少なくとも１／２５に対応する高さを有する。図３に示している例示的な実施形態において、カラー２２は、プッシャーアクチュエーターの高さ全体の約１／２４に対応する高さを有する。
【００２６】
本発明の第２の実施形態において、カラー２２は、プッシャーアクチュエーターの高さ全体の少なくとも１／１０に対応する高さを有する。図４に示している例示的な実施形態において、カラー２２は、プッシャーアクチュエーターの高さ全体の約１／１０に対応する高さを有する。
【００２７】
好ましくは、図３及び４に示しているように、プッシャーアクチュエーター４は、圧縮ばね１２が発生させる戻り力に対抗するように運動可能なように取り付けられる。
【００２８】
第１の中空ガイドメンバー６は、ボタン頭部２とプッシャーアクチュエーター４に対して固定された固定要素に固定されるように意図されている。具体的には、押しボタンシステム１を計時器に取り付ける場合には、後述するように、固定要素は計時器用ケースであり、第１の中空ガイドメンバー６はケースに固定される。
【００２９】
図１、３及び４に示している特定の例示的実施形態において、第１の中空ガイドメンバー６は、管体の形態である。第１の中空ガイドメンバー６を形成する管体は、小径の下部外側部分２６ａと、より大きな直径の上部外側部分２６ｂとを有する。下部外側部分２６ａは、例えば、この管体をケースに形成された開口へと挿入することを可能にする。好ましくは、第１の中空ガイドメンバー６を形成する管体の上部外側部分２６ｂは、ボタン頭部２内に設けられた頭部ハウジング１５内に摺動して入るように調整される。したがって、ボタン頭部２は、第１の中空ガイドメンバー６の上部外側部分２６ｂ上を摺動することができ、これによって、ボタン頭部２を第１の中空ガイドメンバー６上をガイドすることができる。
【００３０】
第１の中空ガイドメンバー６は、例えば、内側円筒状ガスケットハウジング２８ｂに通じる内側摺動開口２８ａの境界を形成する。内側円筒状ガスケットハウジング２８ｂは、内側円筒状空洞２８ｃに通じている。内側円筒状ガスケットハウジング２８ｂの直径は、内側摺動開口２８ａの直径よりも大きく、内側円筒状空洞２８ｃの直径は、内側円筒状ガスケットハウジング２８ｂの直径よりも大きい。この構成は、好ましいことに、機械加工によって得られる。内側円筒状ガスケットハウジング２８ｂは、例えば、第１の肩部３０ａによって境界が形成され、内側円筒状空洞２８ｃは、第２の肩部３０ｂによって境界が形成される。
【００３１】
プッシャーボタンシステム１が計時器に取り付けられる特定の場合に、第１の中空ガイドメンバー６を計時器用ケースに圧入することができる。具体的には、第１の中空ガイドメンバー６の下部外側部分２６ａをケースに形成された開口内に押し込むことができ、第１の中空ガイドメンバー６をケースに溶接することができる。このような組み付けプロセスによって、ケースと第１の中空ガイドメンバー６の間に確実な耐水性の機械的接続を得ることができる。
【００３２】
図３及び４に示しているように、第２の中空ガイドメンバー８は、ボタン頭部２の内側に配置される。好ましくは、第２の中空ガイドメンバー８は、非貫通穴を形成している。ピン１０は、第２の中空ガイドメンバー８内にて摺動可能に取り付けられている。したがって、ピン１０は、例えば、第２の中空ガイドメンバー８内に押し込まれる。ピン１０は、ボタン頭部２とプッシャーアクチュエーター４に対して固定された固定要素に固定されるように意図されている。押しボタンシステム１が計時器に取り付けられる特定の場合に、この固定要素は計時器用ケースであり、ピン１０はその下端１６ａを介してケースに固定される。したがって、第２の中空ガイドメンバー８とピン１０のアセンブリーは、アクチュエートしているとき及びボタン頭部２が並進運動しているときの動作応力を少なくとも部分的に取り込むことができる。ボタン頭部２は、第１の中空ガイドメンバー６の上で、また、ピン１０の上で、摺動することができる。
【００３３】
圧縮ばね１２は、カラー２２の底部に、また、第１の中空ガイドメンバー６に、載置される。より正確には、図３及び４に示している特定の実施形態の例において、圧縮ばね１２は、プッシャーアクチュエーター４のまわり、そして、内側円筒状空洞２８ｃ内に、延在している渦巻きばねであり、第２の肩部３０ｂ上に、また、カラー２２の底部上に載置される。
【００３４】
各シール手段１４ａ、１４ｂは、プッシャーアクチュエーター４と第１の中空ガイドメンバー６の間に配置される。一方のシール手段１４ａは、例えば、第１の肩部３０ａに載置される内側円筒状ガスケットハウジング２８ｂ内に配置されるＯリング型シールによって形成される。他方のシール手段１４ｂは、例えば、内側円筒状ジョイントハウジング２８ｂ内に配置される圧力リングタイプのシールによって形成される。
【００３５】
動作時に、ボタン頭部２の外面にかかる圧力は、圧縮ばね１２を圧縮し、第１の中空ガイドメンバー６内へとプッシャーアクチュエーター４を動かす。そうすることで、カラー２２は、第１の中空ガイドメンバー６の内面２４と連係し、第１の中空ガイドメンバー６内にプッシャー４をガイドする。そして、プッシャーアクチュエーター４の下端１８ａは、アクチュエートメンバーに作用する。このアクチュエートメンバーは、例えば、クロノグラフ制御レバー、又は電子式携行型時計に用いられる場合にはスイッチである。
【００３６】
したがって、本発明に係る押しボタンシステム１は、第１の中空ガイドメンバー６内のプッシャー４のガイドを向上させ、これによって、アセンブリー全体の強度を高めて、特に、プッシャー４が半径方向の応力を受けたときに、プッシャー４が曲がるリスクを低減させることができることを理解することができる。このようにして、好ましいことに、システム１の信頼性と全体的な耐水性が改善される。
【符号の説明】
【００３７】
１  押しボタンシステム
２  ボタン頭部
４  プッシャーアクチュエーター
６  第１の中空ガイドメンバー
８  第２の中空ガイドメンバー
１０  ピン
１２  圧縮ばね
１５  頭部ハウジング
２０  上部
２２  カラー
２３  中空スリーブ
２４  内面
【図１】
2020190546.tif 000003
【図２】
2020190546.tif 000004
【図３】
2020190546.tif 000005
【図４】
2020190546.tif 000006
【外国語明細書】
2020190546000001.pdf